(57)【要約】【課題】  従来のボールにあっては、ボール内の排水開始時と排水終了時に騒音が発生するために、このような構造のシャンプー装置を理美容院等に設置した場合には、被施術者に対して不快感を与えるといった問題があった。【解決手段】  排水管２の開口部に内周部に流水開口が形成された消音板７を取付け、前記流水開口から流出する湯水と排水管の内周面との間に空気溜まりが形成されるようにした洗面・洗髪ボール用排水装置である。【選択図】        図６
2010163765.tif 000002
【特許請求の範囲】
【請求項１】
ボールの排水開口部に内周部に流水開口が形成された消音板を取付け、前記流水開口から流出する湯水と排水管の内周面との間に空気溜まりが形成されるようにしたことを特徴とする洗面・洗髪ボール用排水装置。
【請求項２】
前記消音板を、排水口に取付けた状態において該消音板の外周部から前記流水開口部に向かって下方に傾斜するテーパー状に形成したことを特徴とする請求項１記載の洗面・洗髪ボール用排水装置。
【請求項３】
ボールの排水管下部に取付けられる排水トラップの排出口側屈曲部における曲率半径が小さい側の内径部に内側に突出する消音リブを形成したことを特徴とする洗面・洗髪ボール用排水装置。
【請求項４】
消音リブの上方部の形状を前記内径部の円弧に正接する形状としたことを特徴とする請求項３記載の洗面・洗髪ボール用排水装置。
【発明の詳細な説明】
【技術分野】
【０００１】
本発明は、洗面ボールや洗髪ボール用の排水装置であって、排水蓋を排水口に対して回転したり、持ち上げて外し排水を行う時に、排水開始時に発生する騒音と排水終了時に発生する騒音が発生しないようにした洗面・洗髪ボール用排水装置に関する。
【背景技術】
【０００２】
従来における理美容院等で使用されているシャンプー装置、例えば、特開２００５−２１８７２６号公報において、洗髪が終了した後にボール内に貯留されている湯水を排出する毛髪等が外部に流れ出さないようにボールの排水口に接続されている排水管はＳ字状に形成されている。
【０００３】
このような排水管を使用すると排水開始時にはゴボゴボといった騒音が発生し、また、排水終了時にはゴボーという長い連続した騒音が発生した。その理由を図８と共に説明する。
【０００４】
排水が終了した通常時には図８ａに示すように排水管ａ内には第２の折り返し部分まで湯水が溜まっており、この状態においてボール内に貯留されている湯水を排水すると、排水管ａ内に溜まった空気が泡状となって排水に混ざり、その泡がボールの排水口より排出されてゴボゴボという騒音を発生し（図８ｂ参照）、また、排水終了時には排水管ａ内が湯水によって満水状態となっているために、サイホン現象が発生し排水口から外気を吸引してゴボーという吸い込み音である騒音が発生した。
【先行技術文献】
【特許文献】
【０００５】
【特許文献１】特開２００５−２１８７２６号公報
【発明の概要】
【発明が解決しようとする課題】
【０００６】
前記したようにボール内の排水開始時と排水終了時に騒音が発生するために、このような構造のシャンプー装置を理美容院等に設置した場合には、被施術者に対して不快感を与えることになり、また、施術者にとっても騒音の発生時に被施術者に対して余計な神経を使うといった問題があった。
【０００７】
本発明は前記した問題点を解決せんとするもので、その目的とするところは、ボールの排水口に消音板を載置することで排水開始時の騒音の発生が防止でき、また、排水管の一部に消音リブを形成することで排水終了時の騒音の発生を防止できるので、被施術者に対して不快感を与えることがなく、また、施術者にも余計な神経を使わせることのない洗面・洗髪ボール用排水装置を提供せんとするにある。
【課題を解決するための手段】
【０００８】
本発明の洗面・洗髪ボール用排水装置は前記した目的を達成せんとするもので、請求項１の手段は、ボールの排水開口部に内周部に流水開口が形成された消音板を取付け、前記流水開口から流出する湯水と排水管の内周面との間に空気溜まりが形成されるようにしたことを特徴とする。
【０００９】
請求項２の手段は、前記した請求項１において、前記消音板を、排水口に取付けた状態において該消音板の外周部から前記流水開口部に向かって下方に傾斜するテーパー状に形成したことを特徴とする。
【００１０】
請求項３の手段は、ボールの排水管下部に取付けられる排水トラップの排出口側屈曲部における曲率半径が小さい側の内径部に内側に突出する消音リブを形成したことを特徴とする。
【００１１】
請求項４の手段は、前記した請求項３において、消音リブの上方部の形状を前記内径部の円弧に正接する形状としたことを特徴とする。
【発明の効果】
【００１２】
本発明は前記したように、ボールの排水開口に内周部に流水開口部が形成された消音板を取付け、前記流水開口から流出する湯水と排水管の内周面との間に空気溜まりが形成されるようにしたことにより、ボール内の湯水を排出する開始時において排水管内に溜まった気泡が逆流しないのでゴボゴボといった騒音が発生することがなく、かつ、大量の湯水が排水管に流れて排出管内に溜まっている空気が圧縮され、その結果、流れ込んだ湯水が排水開口から吹き上がるのを防止し、洗面や洗髪時に顔や毛髪が吹き上がった湯水によって汚されるのを防止できる。
【００１３】
また、前記消音板を排水口に取付けた状態において該消音板の外周部から流水開口部に向かって下方に傾斜するテーパー状に形成したことにより、排水口から流出する湯水は前記テーパー部分から速やかに排水管に流れて排水時間の短縮を図ることができる。
【００１４】
さらに、排水トラップの排出口側屈曲部における曲率半径が小さい側の内径部に内側に突出する消音リブを形成したことにより、排水終了時において前記消音リブより下方の排水トラップ内に空気が残留してゴボーという騒音を発生することがない。
【００１５】
また、消音リブの上方部の形状を前記内径部の円弧に正接する形状としたことにより、消音リブが排水トラップ内に突出していても湯水は滞留することなく滑らかに流れるといった効果を有するものである。
【図面の簡単な説明】
【００１６】
【図１】本発明に係る第１実施例の洗面・洗髪ボール用排水蓋装置をボールに取付けた状態の断面図である。
【図２】（ａ）は排水が閉止位置の排水蓋の裏面図と排水蓋と排水栓との位置関係を示す側面図、（ｂ）は排水量が大きな状態の排水蓋の裏面図と排水蓋と排水栓との位置関係を示す側面図、（ｃ）は排水量が少ない状態の排水蓋の裏面図と排水蓋と排水栓との位置関係を示す側面図である。
【図３】排水蓋と排水栓の位置関係を示す説明図である。
【図４】本発明に係る第２実施例の洗面・洗髪ボール用排水蓋装置をボールに取付けた状態の断面図である。
【図５】（ａ）は排水が閉止位置の排水蓋の裏面図と排水蓋と排水栓との位置関係を示す側面図、（ｂ）は排水状態の排水蓋の裏面図と排水蓋と排水栓との位置関係を示す側面図である。
【図６】排水蓋を開放した排水開始時に騒音が発生しない理由を説明するための説明図である。
【図７】排水終了時に騒音が発生しない理由を説明するための説明図である。
【図８】従来の排水トラップで騒音が発生する理由を説明するための説明図である。
【発明を実施するための形態】
【００１７】
本発明は、ボールの排水開口部に内周部に流水開口部が形成された消音板を
取付け、該排水口から流出する排水と排水トラップとの間に空気溜まりを形成したものである。
【実施例１】
【００１８】
次に、洗面・洗髪ボール用排水装置全体の構造を説明する。
先ず、ボールに湯水を貯留し、貯留した湯水を排出する排水蓋と排水口との構造について図１〜図５と共に説明する。
【００１９】
１は洗面ボールや洗髪用ボール（以下、ボールという）にして、底面には排水口１ａが形成されている。２は前記排水口１ａに後述する排水栓５を介して前記ボール１に水密状態に取付けられた排水管にして、内部にゴミや毛髪を集める排水カゴ３が着脱自在に取付けられている。なお、排水管２の下端にはＳ字状の配水トラップ４が取付けられている。
【００２０】
前記排水管２の開口部には、内周部に流水開口部が形成され、かつ、外周部から流水開口に向かって下方に傾斜するテーパー状に形成された消音板７が着脱自在に取付けられている。そして、前記流水開口から流出する湯水と排水トラップとの間に空気溜まりが形成される構成となっている。
【００２１】
また、前記排水トラップ４の排出口側屈曲部（排水トラップ２側から見て２個目の屈曲部）における曲率半径が小さい側の内径部に内側に突出する消音リブ４ａが形成され、かつ、消音リブ４ａの上方部４ｂの形状が前記内径部の円弧に正接する形状に形成されている。
【００２２】
５は前記排水口１ａにパッキング５ａを介して水密状態で取付けられた円筒状の排水栓にして、開口部５ｂはテーパー状に形成されている。排水栓５の内周面には開口面からの深さが最も大きな閉状態用谷部５ｃと、該閉状態用谷部５ｃを挟んで一方は深さが小さな開状態用谷部５ｄおよび該開状態用谷部５ｄよりもさらに深さが小さい開状態用谷部５ｅが形成され、また、他方は閉状態用谷部５ｃから前記開状態用谷部５ｅおよび前記開状態用谷部５ｄが順次形成されている。
【００２３】
また、各谷部５ｃ〜５ｅは全て傾斜部５ｆを介して連接されており、かつ閉状態用谷部５ｃは全周で４個が形成されており、従って、開状態用谷部５ｄと５ｅも４個づつ形成されている。なお、排水栓５の開口平面部には閉口位置を示す直線印と、大きく開口して大容量の排水を行う方向を示す大きい黒丸印、および小さく開口して小容量の排水を行う方向を示す小さい黒丸印が付されている。
【００２４】
６はボール１内に貯留された温水によって浮くことのない比重の大きな合成樹脂等によって構成された排水蓋にして、前記排水栓５の前記谷部５ｃ〜５ｅより上方に挿入される筒状部６ａと、操作者が手で回転するための操作部６ｂとから構成されている。そして、筒状部６ａの外周の相対向する２か所には前記谷部５ｃ〜５ｅおよび傾斜部５ｆ上を移動する突起６ｃが形成されている。また、前記操作部６ｂと筒状部６ａとの境目にはゴム等の弾性を有する閉止部６ｄが形成されている。この閉止部６ｄは前記排水栓５の開口部５ｂのテーパー面と同じ形状のテーパー面に形成されているので、排水蓋６を排水栓５の開口部５ｂに嵌め込むと閉止部６ｄが開口部５ｂのテーパー形状と一致するのでボール１からの水漏れは防止される。なお、操作部６ｂの頂面には筒状部６ａにおける突起６ｃの延長状に突起６ｃの位置の目印となる隆起部６ｅが形成されている。
【００２５】
次に、前記した構成に基づいて排水栓５と排水蓋６との作用について説明するに、先ず、排水蓋６の筒状部６ａを排水栓５の開口部上方から挿入すると、突起６ｃが排水栓５に形成されている谷部５ｃ〜５ｅあるいは傾斜部５ｆの何れかに当接した状態で停止する。この状態において操作部６ｂを手で把持しながら持ち上げることなく回転すると突起６ｃの下端が何れかの谷部５ｃ〜５ｅに入り込む。
【００２６】
そして、この状態において開口部５ｂを閉じるのであれば、排水蓋６における隆起部６ｅを排水栓５の開口平坦部に記されている直線印と合致する位置に合わせることで、排水蓋の突起６ｃが閉状態用谷部５ｃに位置するので、閉止部６ｄが開口部５ｂに当接して水密状態となる（図２ａ参照）。この状態において図示しない蛇口を開くと湯水は排水管２側に流れ出ることなくボール１内に貯留される。
【００２７】
次に、ボール１内に貯留された湯水を排水する場合について説明するに、排水を短時間で行いたいと思う場合には、図２ａにおいて排水蓋６を大きい黒丸印方向（時計方向）に回転すると突起６ｃは傾斜部５ｆにガイドされながら最も高い位置にある開状態用谷部５ｅに係合されて安定状態となり（図２ｂ参照）、排水蓋６から手を放しても閉止部６ｄと開口部５ｂとの大きな隙間から貯留されている湯水が大量に排出される。
【００２８】
また、ボール１内に湯水が貯留されている状態において、消音性を排水時間より優先する場合、すなわち、排水時間が長時間に渡っても排水音が小さくなれば良いと思う場合には、図２ａにおいて排水蓋６を小さい黒丸印方向（反時計方向）に回転すると突起６ｃは傾斜部５ｆにガイドされながら開状態用谷部５ｄに係合されて安定状態となり（図２ｃ参照）、排水蓋６から手を放しても閉止部６ｄと開口部５ｂとの小さな隙間から貯留されている湯水が少しずつ、単位時間の排水量が少ない分静音的に排水される。
【００２９】
なお、排水蓋６が排水栓５に対して封止位置であるか、大量の湯水を排出する位置であるか、あるいは少しずつ排水する位置であるかは隆起部６ｅを目視することで容易に判断することができ、また、図３において排水栓５の開口平坦部に黒栓部を挟んで大小の黒丸印が記されているが、この大きな黒丸印方向に回転することで大量の排水が行われ、小さな黒丸印方向に回転することで少しずつ排水が行われることを示している。
【００３０】
なお、前記した実施例は開状態用谷部を２つ形成して排水量を２段階で行えるものについて説明したが、開状態用谷部を２つ以上形成することで排水量を開状態用谷部の数に応じた複数段階で行うことが可能である。
【００３１】
また、封止状態と開状態の１段階とすることも可能である。この実施例について図４、図５と共に説明する。なお、図面において第１の実施例と同一符号は同一部材を示し説明は省略する。
この実施例では排水栓５の内周面に４個の閉状態用谷部５ｃと、深さが同じ４個の開状態用谷部５ｇと、閉状態用谷部５ｃと開状態用谷部５ｇとを結ぶ傾斜部５ｆおよび該傾斜部５ｆとは反対側の閉状態用谷部５ｃと開状態用谷部５ｇとを結ぶ水平部５ｈとが形成されている。
【００３２】
次に、前記した構成に基づいて排水栓５と排水蓋６との作用について説明するに、前記した実施例と同様に突起６ｃが閉状態用谷部５ｃに係合されている状態（図５ａ参照）において排水蓋６を黒丸印方向（を時計方向）に回転すると、突起６ｃは傾斜部５ｆ上を移動して開状態用谷部５ｇに係合され係止され（図５ｂ参照）、排水蓋６の閉止部６ｄと排水栓５の開口部５ｂとの間に隙間できる。従って、ボール１内に貯留されている湯水は排水される。
【００３３】
なお、傾斜部５ｆと結ぶ閉状態谷部５ｃの反対側は垂直壁となっているので、排水蓋６を反時計方向に回転することできず、この実施例にあっては、一方向への回転のみとなる。
【００３４】
この状態において再びボール内に湯水を貯留するには、排水蓋６を前記の回転方向とは逆の反時計方向に回転するか、水平部５ｈ上を移動して閉状態谷部５ｃに突起６ｃを係合することで排水蓋６の閉止部６ｄと排水栓５の開口部５ｂとが水密状態となって貯留可能となる。
【００３５】
次に、本発明であるボール１内に貯留している湯水を排水した時に騒音が発生しない理由を図６、図７と共に説明する。
先ず、図６に示す排水蓋６を前記した図１〜図５に示した排水蓋装置において説明したように、回転して排水蓋６の閉止部６ｄと排水栓５の開口部５ｂとの間に隙間を形成して流出させ、あるいは、排水蓋６を仮想線で示すように取り外して湯水を排出すると、消音板７の流水開口から排出される。
【００３６】
この時、流下する湯水と排水管２の内周面との間に空気が滞留しているので、排水トラップ４内に溜まっている空気の泡が逆流することがなく、従って、従来における気泡によって発生するゴボゴボという騒音が発生することはない。
【００３７】
次に、排水開始時からボール１内の湯水の流量が少なくなった時に騒音が発生しない理由を図７と共に説明する。
排水トラップ４内に湯水が流れる時に、該排水トラップ４の排出口側屈曲部
における曲率半径が小さい側の内径部に内側に突出する消音リブ４ａが形成されている。この消音リブ４ａにより排水がガイドされ、排水トラップ４における消音リブ４ａ側の下方に湯水が流れない空気層が発生する。このように排水トラップ４の下流側が満水状態となることがないので、ゴボーという引き込み音である騒音が発生することはない。
【００３８】
また、消音リブ４ａは曲率半径が小さい内径部の内側に突出して形成されていることから、排水の量や圧力に関係なく消音リブ４ａ付近を通過する排水の流速はあまり早くない。このため、消音リブ４ａにガイドされた排水が、対向する外径部の内側の壁などに衝突することも殆どなく、衝突による騒音や、衝突の跳ね返りによるエネルギーロスによって排水性能が悪化したりすることがない。
【００３９】
なお、消音リブの上方部の形状を前記内径部の円弧に正接する形状としたことにより、特に、消音リブ４ａ付近の排水の流れが滑らかとなり、消音リブ４ａ側の湯水の流れる勢いが弱くとも、湯水は滞留することなく滑らかに流れ、確実に排水の流れない空気層を形成することになる。
【符号の説明】
【００４０】
１          ボール
２          排水管
４          排水トラップ
４ａ        消音リブ
４ｂ        上方部
７          消音板
【図１】
2010163765.tif 000003
【図２】
2010163765.tif 000004
【図３】
2010163765.tif 000005
【図４】
2010163765.tif 000006
【図５】
2010163765.tif 000007
【図６】
2010163765.tif 000008
【図７】
2010163765.tif 000009
【図８】
2010163765.tif 000010